(57)【要約】【課題】小型でも充分な空気清浄能力が得られる空気清浄機を提供すること。【解決手段】筐体３０内部の空気の流路を２つに分割してその長さを短くするとともに、通気孔３３を経由する際に空気が光触媒部材２０にて濾過されるようにした。このことにより、次の（イ）および（ロ）の作用効果を奏する。（イ）筐体３０の通気孔３３を経由することで、空気の風向が曲げられて光触媒部材２０によって濾過されるので、光触媒式空気清浄機１内を素通りする基質を減少させることができ、光触媒反応を効率的におこなうことができる。（ロ）筐体３０の開口３１から開口３２へ空気を通過させる場合に比べて、空気が通過する経路の長さが短くなり、その分圧力損失が小さくなる。このように圧力損失が小さくなると流通風量が大きくなって空気を清浄する能力が向上するため、例えば送風機４０をより小型にしても従来構成と同等の空気を清浄する能力を維持できる。【選択図】図１
2006325866.tif 000002
【特許請求の範囲】
【請求項１】
光触媒励起光を発する光源と、
前記光源の周囲に配置され、通気性を有する光触媒部材と、
前記光触媒部材の外周に配置され、前記光源が発する前記光触媒励起光を反射するようその内面が構成された、その長手方向の両端部それぞれに開口を有する筒状の筐体と、
前記筐体の内部に空気を通過させるファンと、
を備える光触媒式空気清浄機であって、
前記筐体は、その側面に通気孔を備え、前記通気孔と前記開口のうちの一方との間に第一の流路が形成されるとともに、前記通気孔と前記開口のうちの他方との間に第ニの流路が形成されており、
前記ファンは、前記第一の流路および前記第二の流路に空気を通過させるよう構成されていること
を特徴とする光触媒式空気清浄機。
【請求項２】
請求項１に記載の光触媒式空気清浄機において、
前記通気孔は、前記筐体の側面のほぼ中央部に形成されていることを特徴とする光触媒式空気清浄機。
【請求項３】
請求項１または請求項２に記載の光触媒式空気清浄機において、
前記光源は複数存在し、
前記光触媒部材は、前記複数の光源のうち隣接する２つの光源の間に向けて突出する突出部を有し、
前記突出部は、前記隣接する二つの光源からほぼ均等な距離になるよう構成されていること
を特徴とする光触媒式空気清浄機。
【発明の詳細な説明】
【技術分野】
【０００１】
本発明は、小型でも充分な空気清浄能力が得られる光触媒式空気清浄機に関する。
【背景技術】
【０００２】
酸化チタンを代表とする酸化物半導体光触媒は、紫外光照射によって半導体内部でおこる光誘起電荷分離によって表面に強力な酸化力、還元力が生じ、光触媒表面に吸着した有機物や細菌などを二酸化炭素や水などへと完全分解する作用を奏する。このような光触媒の優れた物質分解能を空気浄化装置に適用すると、活性炭に代表される従来の吸着に基づく浄化法（いわゆる吸着法）では実現できない、優れた特徴をもつ浄化装置が実現できる。光触媒では、吸着法とは異なり、基質が表面に吸着されるのみならず、無機物へと分解されて光触媒上に残存しないので、吸着サイトの飽和による性能の低下が少ないという優れた特徴を有する。また、上述のような吸着法では、基質の吸脱着が平衡になると、それ以上の基質濃度の低下が見られないのに対し、光触媒では基質が分解され続けるため、吸脱着が平衡にならず、より低いレベルまで基質濃度を下げることができる。
【０００３】
ところで、通常の酸化チタン光触媒を機能させるためには、紫外光を照射すること必要である。そのため、大半の光触媒式の空気清浄機には紫外光光源が搭載されている。このような光触媒式の空気清浄機において高い性能を得るには、光触媒自身の活性が高いことはもちろんであるが、光触媒担持体に十分な紫外光が照射されることや、基質と光触媒担持体の接触が良好なことなどが必須で、これを実現するために光触媒担持体、光源、送風機の配置に様々な工夫がなされている。
【０００４】
現在行われている光源と光触媒担持体の配置法としては、（１）フィルター型、（２）壁面型、（３）壁面型とフィルター型との併用（併用型）に大別することができる。以下、順に説明する。
【０００５】
（１）フィルター型については、例えば不織布やハニカム体、発泡体などの通気性フィルターに光触媒を担持させ、光源である紫外線蛍光ランプをこのフィルターで挟み込んで空気を濾過する方法や（例えば特許文献１参照）、フィルターを紫外線ランプの長軸方向に垂直に積層して空気を濾過させる方法（例えば特許文献２参照）などがある。
【０００６】
しかしながら、このようなフィルター型については、次のような問題がある。すなわち、フィルター型においては、光触媒と基質の接触時間が短いため、その空気清浄性能を向上させるためにはフィルターを何重にもしなければいけない。なおこの場合、各フィルターに紫外光を照射するには多数の光源が必要で、装置が大型化してしまう。また、フィルターを積層すると圧力損出が大きくなり、小型の送風機では十分な風量が得られない。
【０００７】
（２）壁面型とは、光触媒を担持した非通気性の板状構造体の表面に基質を接触させる方法であり、例えば紫外線蛍光ランプを筒状の光触媒体で覆った形状を有する方法や（例えば特許文献３参照）、紫外線ランプの長軸方向に垂直に光触媒を担持した板を多数並べて板の間に空気を通す方法（例えば特許文献４参照）、流路の壁面に光触媒を担持し、空気の流路を複数回折り返す方法（例えば特許文献５参照）などがある。
【０００８】
しかしながら、このような壁面型については、次のような問題がある。すなわち、壁面式においては、光触媒と基質の接触時間を長く取れるが、壁面光触媒体から離れたところを通過する空気は光触媒と接触しにくい。なお、光触媒体と壁面の距離を短くするとこの点は改善されるものの圧力損出が大きくなり、光源の交換などの保守性が悪くなる。また、光触媒と基質の接触時間を長くするために流路を折り返す方法をとると、装置が大型化してしまう。
【０００９】
（３）併用型については、（１）フィルター型、（２）壁面型の両方を併せ持つ方法であり、空気を直線的に流し、その流路壁面および流路と直角な方向に光触媒担持通気フィルターを配した方法（例えば特許文献６参照）がある。また、ランプを包含するように通気性光触媒体を配置し、下側に送風機を配置して排気する方法（例えば特許文献７，８参照）もこのような併用型といえる。このような併用型によれば、装置を小型化しても光触媒体と基質の接触は良好になると期待できる。
【特許文献１】特開２００２−３６１０９５号公報（第５頁、図７）
【特許文献２】特開平９−２６７０４３号公報（第３頁、図２）
【特許文献３】特開平８−８９５６４号公報（第６頁、図１）
【特許文献４】特開２００２−７８７８２号公報（第５頁、図２）
【特許文献５】特開平１０−１５１３２２号公報（第３頁、図２）
【特許文献６】特開平１１−２７６５６３号公報（第４頁、図２）
【特許文献７】特開平８−２６６６０５号公報（第３頁、図１）
【特許文献８】特開２０００−１０７２７６号公報（第４頁、図１）
【発明の開示】
【発明が解決しようとする課題】
【００１０】
しかし、上述のような併用型を採用した空気清浄機においては、次のような問題があった。すなわち、（イ）特許文献６に記載された「空気を直線的に流し、その流路壁面および流路と直角な方向に光触媒担持通気フィルターを配した方法」では、圧力損出を小さくするために光触媒通気フィルターの幅を広くすると、結果として光源と壁面光触媒体の距離が離れてしまい、壁面光触媒体とは接触しない基質が増えてしまうという問題がある。また、（ロ）特許文献７に記載された「ランプを包含するように通気性光触媒体を配置し、下側に送風機を配置して排気する方法」のように、側面の開口部を長くとって下部に送風機を配すると、送風機に近い部分のみから吸気が起こり、結果として光触媒フィルターの一部分しか反応に利用されないことになるという問題があった。
【００１１】
なお、上述の（イ）および（ロ）以外でも、上述の空気清浄機においては、一般的に次のようなことが問題となる。すなわち、病院やホテル、飲食店などで空気清浄機を用いる場合、小型で可搬性に優れていると使いやすい。しかし、光触媒式の空気清浄機は従来型の空気清浄機のエレメントに加えて、紫外光源および光源点灯器が必要で、必然的に、空気清浄機は大型化してしまう。光触媒体、光源、送風機の配置を工夫することで、小型でも十分な処理能力が得られるような光触媒体、光源、送風機の配置法が望まれている。
【００１２】
本発明は、このような不具合に鑑みなされたものであり、その目的とするところは、小型でも充分な空気清浄能力が得られる空気清浄機を提供することにある。
【課題を解決するための手段】
【００１３】
上記課題を解決するためになされた請求項１に係る光触媒式空気清浄機（１：この欄においては、発明に対する理解を容易にするため、必要に応じて「発明を実施するための最良の形態」欄で用いた符号を付すが、この符号によって請求の範囲を限定することを意味するものではない。）は、光触媒励起光を発する光源（１０）と、前記光源の周囲に配置され、通気性を有する光触媒部材（２０）と、前記光触媒部材の外周に配置され、前記光源が発する前記光触媒励起光を反射するようその内面が構成された、その長手方向の両端部それぞれに開口（３１，３２）を有する筒状の筐体（３０）と、前記筐体の内部に空気を通過させるファン（４０）と、を備える光触媒式空気清浄機であって、前記筐体は、その側面に通気孔（３３）を備え、前記通気孔と前記開口のうちの一方（３１）との間に第一の流路（３４）が形成されるとともに、前記通気孔と前記開口のうちの他方（３２）との間に第ニの流路（３５）が形成されており、  前記ファンは、前記第一の流路および前記第二の流路に空気を通過させるよう構成されていることを特徴とする。
【００１４】
このように構成された本発明によれば、筐体内部の空気の流路を２つに分割してその長さを短くするとともに、通気孔を経由する際に空気が光触媒部材にて濾過されるようにしたので、次の（イ）および（ロ）の作用効果を奏する。
【００１５】
（イ）空気が通気孔を経由することで、空気の風向が曲げられて光触媒部材によって濾過されるので、光触媒式空気清浄機内を素通りする基質を減少させることができ、光触媒反応を効率的におこなうことができる。
【００１６】
（ロ）例えば筒状に形成された光触媒部材の内部を空気が通過する場合に比べて、空気が通過する経路の長さが短くなり、その分圧力損失が小さくなる。このように圧力損失が小さくなると流通風量が大きくなって空気を清浄する能力が向上するため、例えばファンをより小型にしても従来構成と同等の空気を清浄する能力を維持できる。また、例えばファンを小型にすることで、例えばファンに電力を供給する電源なども小型化することができる。
【００１７】
したがって、光触媒式空気清浄機を充分な空気清浄能力を有しながら小型にすることができる。
また、本発明によれば、上述のように例えばファンや電源などを小型にする分光触媒式空気清浄機の高さ寸法を小さくすれば、光触媒式空気清浄機を例えばベッドの下に設置することや、各種機器の間に設置すること、天井へ吊り下げることなどが容易となる。
【００１８】
また、本発明によれば、上述のように光触媒式空気清浄機の高さ寸法を小さくすれば、光触媒式空気清浄機を横長の形状とすることができ、例えば、空気を内部に吸気するための吸気部と空気を外部へ排気するための排気部とを離すことによって例えば光触媒式空気清浄機の前側に吸気部および排気部を集中的に配置するようなレイアウトとすることが可能となる。このことにより、装置そのものの設置自由度がより高い光触媒式空気清浄機とすることができる。
【００１９】
この場合、上述の通気孔については、筐体の側面のほぼ中央部に形成されていることが考えられる（請求項２）。このように構成すれば、第一の流路の長さと第二の流路の長さとがほぼ同一になるので、両流路における圧力損失がほぼ同程度となり、光触媒式空気清浄機から排出される空気の清浄具合をほぼ均質とすることができる。
【００２０】
ところで、複数の光源を備える場合には、それぞれの光源に対して上述の光触媒部材、筐体およびファンを用意すると光触媒式空気清浄機が大型になるおそれがある。そこで、複数の光源に対して一組の光触媒部材、筐体およびファンを用意することが考えられる。具体的には、請求項３のように、光源が複数存在し、光触媒部材が、複数の光源のうち隣接する２つの光源（１１０，１１０）の間に向けて突出する突出部（１２３）を有し、この突出部が、上述の隣接する二つの光源からほぼ均等な距離になるよう構成されていることが考えられる。このように構成すれば、隣接する二つの光源それぞれから光触媒部材の一部である突出部までの距離寸法がほぼ同一になり、光触媒式空気清浄機から排出される空気の清浄具合をほぼ均質とすることができる。したがって、充分な空気清浄能力を有しながら、複数の光源に対して一組の光触媒部材、筐体およびファンを用意すればよい分この光触媒式空気清浄機をより小型にすることができる。
【発明を実施するための最良の形態】
【００２１】
以下に本発明の実施形態を図面とともに説明する。
［実施形態］
図１（ａ）は、光触媒式空気清浄機１を示す概略説明図（１）であり、図１（ｂ）は、光触媒式空気清浄機１を示す概略説明図（２）である。
【００２２】
［光触媒式空気清浄機１の構成の説明］
図１（ａ）に示すように、光触媒式空気清浄機１は、紫外線ランプ１０、光触媒部材２０、筐体３０、および送風機４０を備えている。
【００２３】
［紫外線ランプ１０の構成の説明］
紫外線ランプ１０は、波長４００ｎｍより短波長の近紫外光（光触媒励起光）を発する棒状の光源であり、酸化チタン光触媒の励起光源として好適なものである。なお、紫外線ランプ１０の具体例としては例えば通常の蛍光ランプや冷陰極管、ＬＥＤアレイなどが挙げられる。なお、紫外線ランプ１０は特許請求の範囲における光源に該当する。
【００２４】
［光触媒部材２０の構成の説明］
光触媒部材２０は、２枚の板材２１，２２を備えている。これら板材２１，２２は、板状に形成された光触媒担持セラミックス発泡体で構成されている。この光触媒担持セラミックス発泡体は、酸化チタンを代表とする光触媒能を有する酸化物半導体を担持しており、通気性を有している。なお、この光触媒部材２０の内部には上述の紫外線ランプ１０が配置されている。このように構成された光触媒部材２０は、紫外線ランプ１０が発する近紫外光を照射することによって脱臭や抗菌などの作用を奏する。なお、光触媒部材２０としては、通気性を有する素材によって構成されることが望ましいが、通気性を有していない他方の壁面については非通気性の素材を用いてもよい。
【００２５】
［筐体３０の構成の説明］
筐体３０は、筒状に形成された金属部材であり、その長手方向の両端それぞれに開口３１，３２を有している。なお、筺体３０については、プラスチック材料など他の材料で構成してもよい。また、この筐体３０の内部には、光触媒部材２０が配置されている。具体的には、光触媒部材２０を構成する板材２１，２２が、対向する姿勢で筐体３０の内部に配置されている。
【００２６】
また、筐体３０は、その内面が紫外線ランプ１０によって発せられた近紫外光のうち光触媒部材２０を通過した近紫外光を光触媒部材２０へ反射するよう構成されている。
また、筐体３０は、その側面のほぼ中央部に通気孔３３を有している。このことにより、筐体３０には、通気孔３３と開口３１との間に第一の流路３４が形成されるとともに、通気孔３３と開口３２との間に第ニの流路３５が形成されている。なお、本実施形態では、筐体３０の側面のほぼ中央部に通気孔３３が形成されているので、第一の流路３４の長さと第二の流路３５の長さとがほぼ同一になっている。また、上述のように、筺体３０の内部に空気が流れるための第一の流路３４および第二の流路３５が形成されていれば、仮に筺体３０の側面に開口部が形成されていてもよい。
【００２７】
［送風機４０の構成の説明］
送風機４０は、その内部に軸流ファンモーターを備えている。なお、軸流ファンモーターの各部構成については、公知技術にしたがっているのでここでは詳細な説明は省略する。この送風機４０は、筐体３０の通気孔３３の近傍に配置されており、この通気孔３３から筐体３０の第一の流路３４内部の空気および第二の流路３５内部の空気を吸引することができる。なお、送風機４０については、軸流ファンモーターの代わりに、ブロアー（シロッコファン）やクロスフローファンを備えるようにしてもよい。また、このようなファンが、筐体３０の第一の流路３４内部の空気および第二の流路３５内部へ送風するよう構成してもよい。
【００２８】
なお、送風機４０は特許請求の範囲におけるファンに該当する。
［光触媒式空気清浄機１の空気清浄性能試験の説明］
次に、本実施形態の光触媒式空気清浄機１の空気清浄性能試験について、図２および図３を参照して説明する。なお、図２（ａ）は、試験に用いられた本実施形態の光触媒式空気清浄機１０１を示す概略説明図であり、図２（ｂ）は同じく試験に用いられた比較例としての光触媒式空気清浄機２０１を示す概略説明図である。また、図３は、容積が１ｍ3である容器中でのアセトアルデヒド１０ｐｐｍの分解の様子を示したグラフである。
【００２９】
本出願人は、アセトアルデヒドの濃度が１０ｐｐｍである気体を容器に充填し、その容器に光触媒式空気清浄機１を入れて動作させた際のアセトアルデヒドの濃度の変化を調べた。
【００３０】
なお、試験条件は以下の通りである。
・紫外線ランプ１０Ｗブラックライト(東芝ライテック社製) ・・・２本
・光触媒体：光触媒担持セラミックス発泡体(東芝セラミックス社製 品番ＡＢ−６−６、サイズ９２ｍｍ×３００ｍｍ、２枚；４０ｍｍ×３００ｍｍ、１枚)
・送風機：日本サーボ社製軸流ファン(ＤＣ１２Ｖ、９２ｍｍ×９２ｍｍ×３２ｍｍ) ・・・２台
・容器：アクリル／ステンレス製、容積：１ｍ3
・容器に充填するアセトアルデヒドの濃度：１０ｐｐｍ
［実施例としての光触媒式空気清浄機１０１について］
本試験に用いた光触媒式空気清浄機１０１について図２（ａ）および図２（ｂ）を参照して説明する。なお、この光触媒式空気清浄機１０１については、図中では実施例と表現することがある。この光触媒式空気清浄機１０１は、図２（ａ）および図２（ｂ）に示すように、２つの紫外線ランプ１１０，１１０、光触媒部材１２０、筐体１３０、および２つの送風機１４０，１４０を備えている。なお、紫外線ランプ１１０については、上述の紫外線１０と同様の構成を有しているのでここでは詳細な説明は省略する。
【００３１】
光触媒部材１２０は、３枚の板材１２１，１２２，１２３を備えており、対向する姿勢に配置された板材１２１，１２２を板材１２３によって連結した構成を有している。また、これら板材１２１，１２２，１２３は、板状に形成された光触媒担持セラミックス発泡体で構成されている。そして、この光触媒部材１２０の内部には、上述の紫外線ランプ１１０，１１０が板材１２３から均等な距離となるよう配置されている。
【００３２】
筐体１３０は、筒状に形成された金属部材であり、その長手方向の両端部それぞれに開口１３１，１３２を有している。なお、この筐体１３０の内部には、光触媒部材１２０が配置されている。
【００３３】
また、筐体１３０は、その内面が紫外線ランプ１１０，１１０によって発せられた近紫外光のうち光触媒部材１２０を通過した近紫外光を光触媒部材１２０へ反射するよう構成されている。また、筐体１３０は、その側面のほぼ中央部に通気孔１３３を有している。このことにより、筐体１３０には、通気孔１３３と開口１３１との間に第一の流路１３４が形成されるとともに、通気孔１３３と開口１３２との間に第ニの流路１３５が形成されている。なお、本実施形態では、筐体１３０の側面のほぼ中央部に通気孔１３３が形成されているので、第一の流路１３４の長さと第二の流路１３５の長さとがほぼ同一になっている。
【００３４】
送風機１４０，１４０は、筐体１３０の通気孔１３３の近傍に配置されており、一方の送風機１４０が、通気孔１３３から筐体１３０の第一の流路１３４内部の空気を吸引することができ、他方の送風機１４０が、通気孔１３３から筐体１３０の第ニの流路１３５内部の空気を吸引することができる。
【００３５】
［実施例の試験結果について］
以上のように構成された実施例としての光触媒式空気清浄機１０１を用いて試験を行った結果、アセトアルデヒドの濃度と光触媒式空気清浄機１０１の運転時間との間に、図３に示す関係があることを確認した。具体的には、光触媒式空気清浄機１０１の運転開始から約５分後にアセトアルデヒドの濃度が半減した。さらに、光触媒式空気清浄機１０１の運転開始から約２５分に、アセトアルデヒドの濃度が当初の濃度値の約１％となった。つまり、９９％のアセトアルデヒドが除去されたこととなる。
【００３６】
［比較例としての空気清浄機２０１について］
なお、本出願人は、比較例として、従来構成を有する光触媒式空気清浄機（併用型）の空気清浄能力を調べた。
【００３７】
本試験に用いた比較例としての光触媒式空気清浄機２０１について図２（ｃ）および図２（ｄ）を参照して説明する。この光触媒式空気清浄機２０１は、図２（ｃ）および図２（ｄ）に示すように、２つの紫外線ランプ２１０，２１０、光触媒部材２２０、筐体２３０、および２つの送風機２４０，２４０を備えている。なお、紫外線ランプ２１０については、上述の紫外線１０と同様の構成を有しているのでここでは詳細な説明は省略する。
【００３８】
光触媒部材２２０は、上述の光触媒部材１２０と同様の構成を有している。すなわち、光触媒部材２２０は、３枚の板材２２１，２２２，２２３を備えており、対向する姿勢に配置された板材２２１，２２２を板材２２３によって連結した構成を有している。また、これら板材２２１，２２２，２２３は、板状に形成された光触媒担持セラミックス発泡体で構成されている。そして、この光触媒部材２２０の内部には、上述の紫外線ランプ２１０，２１０が板材２２３から均等な距離となるよう配置されている。
【００３９】
筐体２３０は、筒状に形成された金属部材であり、その長手方向の両端部の一方が塞がれており、他方が開口２３１となっている。なお、この筐体２３０の内部には、光触媒部材２２０が配置されている。また、筐体２３０は、その側面に通気孔２３３を有している。また、筐体２３０は、その内面が紫外線ランプ２１０，２１０によって発せられた近紫外光のうち光触媒部材１２０を通過した近紫外光を光触媒部材１２０へ反射するよう構成されている。
【００４０】
送風機２４０，２４０は、筐体２３０の開口２３１の近傍に配置されており、通気孔２３３から筐体２３０の流路１３４内部の空気を吸引することができる。
［比較例の試験結果について］
以上のように構成された比較例としての光触媒式空気清浄機２０１を用いて試験を行った結果、アセトアルデヒドの濃度と光触媒式空気清浄機２０１の運転時間との間に、図３に示す関係があることを確認した。具体的には、この比較例では、光触媒式空気清浄機２０１の運転開始から約８分後にアセトアルデヒドの濃度が半減した。さらに、光触媒式空気清浄機２０１の運転開始から約２５分に、アセトアルデヒドの濃度が当初の濃度値の約１０％となった。
【００４１】
これらのことにより、実施例としての光触媒式空気清浄機１０１が、従来構成を有する比較例としての光触媒式空気清浄機２０１に比べて優れた空気清浄能力を有することが明らかである。
【００４２】
［実施形態の効果］
（１）このように本実施形態の光触媒式空気清浄機１によれば、筐体３０内部の空気の流路を２つに分割してその長さを短くするとともに、通気孔３３を経由する際に空気が光触媒部材２０にて濾過されるようにしたので、次の（１−１）および（１−２）の作用効果を奏する。
【００４３】
（１−１）筐体３０の通気孔３３を経由することで、空気の風向が曲げられて光触媒部材２０によって濾過されるので、光触媒式空気清浄機１内を素通りする基質を減少させることができ、光触媒反応を効率的におこなうことができる。
【００４４】
（１−２）筐体３０の開口３１から開口３２へ空気を通過させる場合に比べて、空気が通過する経路の長さが短くなり、その分圧力損失が小さくなる。このように圧力損失が小さくなると流通風量が大きくなって空気を清浄する能力が向上するため、例えば送風機４０をより小型にしても従来構成と同等の空気を清浄する能力を維持できる。また、例えば送風機４０を小型にすることで、例えば送風機４０に電力を供給する電源なども小型化することができる。
【００４５】
したがって、光触媒式空気清浄機１を充分な空気清浄能力を有しながら小型にすることができる。
（２）また、本実施形態の光触媒式空気清浄機１によれば、上述のように例えば送風機４０や電源などを小型にする分光触媒式空気清浄機１の高さ寸法を小さくすれば、光触媒式空気清浄機１を例えばベッドの下に設置することや、各種機器の間に設置すること、天井へ吊り下げることなどが容易となる。
【００４６】
（３）また、本実施形態の光触媒式空気清浄機１によれば、上述のように光触媒式空気清浄機１の高さ寸法を小さくすれば、光触媒式空気清浄機１を横長の形状とすることができ、例えば、空気を内部に吸気するための吸気部と空気を外部へ排気するための排気部とを離すことによって例えば光触媒式空気清浄機１の前側に吸気部および排気部を集中的に配置するようなレイアウトとすることが可能となる。このことにより、装置そのものの設置の自由度がより高い光触媒式空気清浄機１とすることができる。
【００４７】
（４）また、本実施形態の光触媒式空気清浄機１によれば、上述の通気孔３３については、筐体３０の側面のほぼ中央部に形成されているので、第一の流路３４の長さと第二の流路３５の長さとがほぼ同一になり、両流路における圧力損失がほぼ同程度となり、光触媒式空気清浄機１から排出される空気の清浄具合をほぼ均質とすることができる。
【００４８】
［他の実施形態］
以上、本発明の一実施形態について説明したが、本発明は上記実施形態に限定されるものではなく、以下のような様々な態様にて実施することが可能である。
【００４９】
（１）上記実施形態では、紫外線ランプ１０が一つの紫外線ランプを備えているが、これには限られず、図２（ａ）に例示するように、例えば２つの紫外線ランプ１１０，１１０を備えるといった具合に複数の紫外線ランプを備えるよう構成してもよい。ここで、紫外線ランプ１０が二つの紫外線ランプを備えている場合を例に挙げる。すなわち、光触媒部材１２０は、３枚の板材１２１，１２２，１２３を備えており、対向する姿勢に配置された板材１２１，１２２を板材１２３によって連結した構成を有している。また、これら板材１２１，１２２，１２３が、板状に形成された光触媒担持セラミックス発泡体で構成されている。そして、この光触媒部材１２０の内部には、上述の紫外線ランプ１１０，１１０が板材１２３から均等な距離となるよう配置されている。なお、板材１２３は特許請求の範囲における「突出部」に該当する。
【００５０】
このように構成すれば、隣接する二つの紫外線ランプ１１０，１１０それぞれから光触媒部材１２０の一部である板材１２３までの距離寸法がほぼ同一になり、空気清浄機２０１から排出される空気の清浄具合をほぼ均質とすることができる。したがって、充分な空気清浄能力を有しながら、二つの紫外線ランプ１１０，１１０に対して一組の光触媒部材１２０、筐体１３０および送風機１４０，１４０を用意すればよい分この空気清浄機２０１をより小型にすることができる。
【図面の簡単な説明】
【００５１】
【図１】（ａ）は光触媒式空気清浄機を示す概略説明図（１）であり、（ｂ）は光触媒式空気清浄機を示す概略説明図（２）である。
【図２】（ａ）は試験に用いられた本実施形態の光触媒式空気清浄機を示す概略説明図であり、（ｂ）は同じく試験に用いられた比較例としての光触媒式空気清浄機を示す概略説明図である。
【図３】容積が１ｍ3である容器中でのアセトアルデヒド１０ｐｐｍの分解の様子を示したグラフである。
【符号の説明】
【００５２】
１，１０１，２０１…光触媒式空気清浄機、１０，１１０，２１０…紫外線ランプ、２０，１２０，２２０…光触媒部材、２１，２２，１２１，１２２，１２３，２２１，２２２，２２１…板材、３０，１３０，２３０…筐体、３１，３２，１３１，１３２，２３１…筺体の開口、３３，１３３，２３３…通気孔、３４，１３４…第一の流路、３５，１３５…第二の流路、２３４…空気の流路、４０，１４０，２４０…送風機
【図１】
2006325866.tif 000003
【図２】
2006325866.tif 000004
【図３】
2006325866.tif 000005